(57)【要約】【課題】本発明は、熱源となる発光素子および波長変換部材から効率良く放熱することができる発光装置を提供することを目的とする。【解決手段】発光装置１は、基台３に波長変換部材５が搭載され、当該波長変換部材５にＬＥＤ７が実装されてなる。波長変換部材５は、基台３に搭載される被搭載面１４と、ＬＥＤ７が実装される実装面１５と、波長変換された光の出射面１６との少なくとも３面を有し、基台３の搭載面１２、波長変換部材５の実装面１５及び出射面１６の３面が、実装面１５から入射したＬＥＤ７からの出力光の一部を波長変換しながら基台３の搭載面１２で反射された後、出射面１６から出射する光学位置関係にある。【選択図】図１
2010098118.tif 000002
【特許請求の範囲】
【請求項１】
基台に波長変換部材が搭載され、当該波長変換部材に発光素子が実装されてなる発光装置であって、
前記波長変換部材は、前記基台に搭載される被搭載面と、前記発光素子が実装される実装面と、波長変換された光の出射面との少なくとも３面を有し、前記基台の搭載面、前記波長変換部材の実装面及び出射面の３面が、前記実装面から入射した前記発光素子からの出力光の一部を波長変換しながら前記基台の搭載面で反射された後、前記出射面から出射する光学位置関係にある
ことを特徴とする発光装置。
【請求項２】
前記実装面は、前記基台の搭載面に対して傾斜している
ことを特徴とする請求項１に記載の発光装置。
【請求項３】
前記波長変換部材は、前記基台における前記波長変換部材を搭載する領域に設けられた反射部材を介して前記基台に搭載され、
前記基台の搭載面は、前記反射部材の表面である
ことを特徴とする請求項１又は２に記載の発光装置。
【請求項４】
前記発光素子は、ＬＥＤ素子であり、前記波長変換部材に実装される面と反対側の面に反射膜を有する
ことを特徴とする請求項１〜３の何れか１項に記載の発光装置。
【請求項５】
前記ＬＥＤ素子の側面に反射膜を有する
ことを特徴とする請求項４に記載の発光装置。
【請求項６】
前記波長変換部材は、セラミック材料により構成されている
ことを特徴とする請求項１〜５の何れか１項に記載の発光装置。
【請求項７】
前記波長変換部材は、前記実装面に隣接し且つ前記基台の搭載面と並行な面を有し、当該面に反射部材が設けられている
ことを特徴とする請求項１〜６の何れか１項に記載の発光装置。
【発明の詳細な説明】
【技術分野】
【０００１】
本発明は、基台に波長変換部材が搭載され、当該波長変換部材に発光素子が実装されてなる発光装置に関する。
【背景技術】
【０００２】
発光ダイオード（Light Emitting Diode、以下「ＬＥＤ」とする。）やレーザダイオード等の発光素子は、放電や輻射を使った既存光源（例えば、蛍光ランプや白熱電球）に比べて、小型且つ高効率であり、さらに、近年では高光束化も進んできたことから、上記既存光源の代用はもとより他の用途への適用が進められている。
なお、発光素子は、放電や輻射を使った上記光源に比べて小型であることから、その取り扱いが容易になること、また多様なデザインが期待できること等の利点があり、付加価値の高い光源と言える。
【０００３】
例えば、発光素子の一種であるＬＥＤ素子（以下、単に「ＬＥＤ」とする。）と、このＬＥＤからの光の一部の波長を変換する蛍光体を含む波長変換部材とを組み合わせた白色ＬＥＤを用いた発光装置がある。
このような発光装置の小型、薄型化を実現するために、波長変換部材のサイズを小さくする技術として、高濃度の蛍光体を分散した樹脂ペーストを使って、ＬＥＤの周囲に波長変換部材を立体的に形成するものがある（特許文献参照）。
【特許文献１】特開２００１−１３５８６１号公報
【特許文献２】米国特許第６，６５０，０４４号
【発明の開示】
【発明が解決しようとする課題】
【０００４】
上記の技術では、樹脂中に分散させた蛍光体からなる（上記樹脂ペーストを利用して形成した）波長変換部材がＬＥＤを覆っており、ＬＥＤから出射した光の波長を、波長変換するために吸収した際に波長変換されずに発生した熱が樹脂中に篭り、ＬＥＤの温度上昇をもたらす。
これにより、樹脂中内の蛍光体の温度が上昇して蛍光体そのものの変換効率がさらに低下し、効率低下によって波長変換されずに発生する熱がさらに増え、波長変換部材中に篭るという悪循環が起こる。このため、ＬＥＤへ投入する電流量に増加させることができない等の制約が発生しており、光の取り出せる効率の大幅な低下を招く可能性がある。
【０００５】
本発明は、上記従来の課題を解決するもので、発光素子からの光の取り出し効率を維持しつつ、熱源となる発光素子および波長変換部材から発生した熱を効率良く放出することができる発光装置を提供する。
【課題を解決するための手段】
【０００６】
上記目的を達成するために、本発明に係る発光装置は、基台に波長変換部材が搭載され、当該波長変換部材に発光素子が実装されてなる発光装置であって、前記波長変換部材は、前記基台に搭載される被搭載面と、前記発光素子が実装される実装面と、波長変換された光の出射面との少なくとも３面を有し、前記基台の搭載面、前記波長変換部材の実装面及び出射面の３面が、前記実装面から入射した前記発光素子からの出力光の一部を波長変換しながら前記基台の搭載面で反射された後、前記出射面から出射する光学位置関係にあることを特徴としている。
【発明の効果】
【０００７】
本発明に係る発光装置は、波長変換部材が基台に搭載されているため、波長変換部材内の熱が伝熱により基台側へ伝わり、発光素子および波長変換部材の熱を効率良く放出できる。
また、発光素子から波長変換部材に入射した光は、基台の搭載面で反射して波長変換部材の出射面から出射するため、発光素子からの光の取り出し効率を維持できる。
【０００８】
また、前記実装面は、前記基台の搭載面に対して傾斜していることを特徴とし、あるいは、前記波長変換部材は、前記基台における前記波長変換部材を搭載する領域に設けられた反射部材を介して前記基台に搭載され、前記基台の搭載面は、前記反射部材の表面であることを特徴としている。
さらに、前記発光素子は、ＬＥＤ素子であり、前記波長変換部材に実装される面と反対側の面に反射膜を有することを特徴とし、あるいは、前記ＬＥＤ素子の側面に反射膜を有することを特徴としている。
【０００９】
また、前記波長変換部材は、セラミック材料により構成されていることを特徴とし、あるいは、前記波長変換部材は、前記実装面に隣接し且つ前記基台の搭載面と並行な面を有し、当該面に反射部材が設けられていることを特徴としている。
【発明を実施するための最良の形態】
【００１０】
＜実施の形態＞
以下、本発明の一例である実施の形態に係る発光装置について、それぞれ図面を参照しながら説明する。
１．構造
図１は、本実施の形態に係る発光装置の正面図であり、図２は、本実施の形態に係る発光装置の平面図である。
【００１１】
発光装置１は、基台３、波長変換部材５、ＬＥＤ（本発明の「発光素子」に相当する。）７を備え、波長変換部材５が基台３の搭載面に搭載され、ＬＥＤ７は波長変換部材５の実装面に実装されてなる。なお、波長変換部材５は、ＬＥＤ７からの出力された光であって波長変換部材５の内部へと入射した光の波長を変換する。
図３は、波長変換部材を搭載していない状態の基台の平面図である。
【００１２】
基台３は、任意の形状、ここでは、平面視において長方形状をする直方体状し、例えば、絶縁材料により構成されている。基台３は、基台本体３ａと反射部材１３とを備える。
基台本体３ａは、波長変換部材５を搭載するため搭載領域９と、ＬＥＤ７と電気的に接続する（給電する）ために形成された配線パターン１１とを一面に備え、反射部材１３は基台本体３ａの搭載領域９に取着される。なお、搭載領域９は、図３において、便宜上、右上がりのハッチングで示している。
【００１３】
配線パターン１１は、ＬＥＤ７のＰ側電極と接続するためのランド１１ａと、Ｎ側電極と接続するためのランド１１ｂとを有する。なお、配線パターン１１と外部の電力供給源との接続関係の図示は省略している。
波長変換部材５は、図１に示すように、自部材内の熱を基台３へと伝える一方、ＬＥＤ７から出力され入射された光が基台３の搭載面で反射するように、基台３に搭載されている。
【００１４】
具体的には、基台３の搭載領域９に存する反射部材１３に波長変換部材５が搭載されている。つまり、反射部材１３の搭載領域９と反対側の主面が、本発明の基台３の搭載面１２となる。
図４は、基台に波長変換部材が搭載された状態の平面図である。
波長変換部材５は、ＬＥＤ７からの光を所望の波長に変換する波長変換物質、例えば、蛍光体を含んだ材料（例えばセラミックや樹脂）から構成されている。波長変換部材５は、図１に示すように、正面から見たときに、一つの角を裁頭した裁頭三角形をし、この形状を断面として、正面から見た方向に延伸する柱状（四角柱でもある。）をしている。
【００１５】
波長変換部材５は、図１及び図４に示すように、反射部材１３と当接する面が本発明の被搭載面１４に、当該被搭載面１４以外の面であってＬＥＤ７を実装する面が本発明の実装面１５に、前記被搭載面１４以外の面であって波長変換された光を外部に出射する面が本発明の出射面１６にそれぞれなっている。そして、波長変換部材５の実装面１５は、基台３の搭載面１２である反射部材１３の主面に対して傾斜している。
【００１６】
ここで、基台３の搭載面１２、波長変換部材５の実装面１５及び出射面１６の３面は、実装面１５から入射したＬＥＤ７からの出力光の一部を波長変換しながら基台３の搭載面１２で反射された後、出射面１６から出射する光学位置関係にある。
ＬＥＤ７は、波長変換部材５の実装面１５に、透明（透光性）の固着剤（例えば、樹脂）１７を介して実装され、波長変換部材５に実装されない側の面が、ＬＥＤ７内の発光層から波長変換部材５と反対側に出射した光を発光層（波長変換部材５）側に反射させる反射膜３１となっている。
【００１７】
ここでのＬＥＤ７は、所謂、両面電極型であり、波長変換部材５に実装される側の面１９にＮ側電極２１を有し、波長変換部材５に実装されない側の面２３にＰ側電極２５を有する。
ＬＥＤ７の各電極２１，２５は、Ｐ側電極２５がワイヤ（金線）２９を介してランド１１ａに、Ｎ側電極２１が導電性部材２７を介してランド１１ｂに、それぞれ電気的に接続されている。
２．動作
図５は、発光装置の動作状態を説明する図である。
【００１８】
発光装置１のＬＥＤ７に給電がされると、当該ＬＥＤから波長変換部材５側に出力された光は、透明の固着剤１７を通って波長変換部材５に入射する。
図５内の白抜きの矢印Ａは、波長変換部材５の内部での光の進行を模式的に表している。波長変換部材５の内部を進行する光が、反射部材１３の主面（基台３の搭載面１２である）にまで達すると、当該反射部材１３で反射し、反射した光がやがて波長変換部材５の出射面１６から外部へと出射される。
【００１９】
波長変換部材５では、ＬＥＤ７からの出力光が波長変換部材５内の蛍光体により所望の波長に変換されると共に、波長変換されずに発生した熱が内部に篭る。また、ＬＥＤ７の発光により生じた熱が、固着剤１７を通って波長変換部材５に伝わる。
図５内の矢印Ｂは、波長変換部材５の内部での熱の移動を模式的に表している。
波長変換部材５は、反射部材１３に接触する状態で基台３に搭載されているため、内部の熱を反射部材１３側へと伝えることができるため、波長変換部材５内の熱は、反射部材１３を通って基台本体３ａへと伝わる。
【００２０】
この場合、基台３（基台本体３ａ）自身が、所謂ヒートシンクの機能を有する場合は、反射部材１３を介して伝わった基台３の熱は放熱され、また、基台３が、ヒートシンク等に装着されている場合は、基台３（基台本体３ａ）の熱がさらにヒートシンクへと伝わり、ヒートシンクから放熱される。
３．発光装置の製造方法
図６は、発光装置の製造方法を説明する図である。
【００２１】
発光装置１は、主に、基台３に波長変換部材５を搭載する搭載工程と、基台３に搭載された波長変換部材５にＬＥＤ７を実装する実装工程とをへて製造される。
（１）搭載工程
搭載工程では、図６の（ａ）に示すように、波長変換部材５用の搭載領域９に反射部材１３が取着された基台３を準備する。そして、同図の（ｂ）に示すように、基台３上の反射部材１３に波長変換部材５を搭載し、また、ＬＥＤ７のＮ側電極２１に電気的に接続するための導電性部材２７をランド１１ｂ上に取着する。
【００２２】
なお、波長変換部材５の基台３（正確には反射部材１３）への搭載は、例えば、透明の固着剤（例えば、樹脂）により行われ、また、導電性部材２７の基台３（正確にはランド１１ｂ）への取着は、例えば、導電性の固着剤（例えば、銀ペースト）により行われる。
（２）実装工程
波長変換部材５の搭載と導電性部材２７の取着が完了した基台３を、同図の（ｃ）に示すように、波長変換部材５の実装面１５が水平となるように、傾斜させる。
【００２３】
そして、この傾斜状態を保持したままで、ＬＥＤ７のＮ側電極２１と導電性部材２７とが当接するように、固着剤１７を介してＬＥＤ７を実装面１５に実装する。
この後、ＬＥＤ７のＰ側電極２５と基台３のランド１１ａとをワイヤ２９により電気的に接続して、発光装置１が完成する。
４．実施例
上記構成の発光装置１についての具体的な一つの実施例について説明する。なお、本発明は本実施例に限定されるものでないことは言うまでもない。
【００２４】
基台本体３ａは、絶縁アルミナ等のセラミック材料が用いられ、平面視形状が、長辺が５（ｍｍ）、短辺が５（ｍｍ）の長方形状をし、厚みが０．６（ｍｍ）〜２．０（ｍｍ）である。基台本体３ａの主面に形成されている配線パターン１１は、例えば１０（μｍ）程度の銅箔をエッチングすることで、所定のランドとしている。
ＬＥＤ７は、例えば底面が１．０（ｍｍ）×１．０（ｍｍ）の正方形で、高さが０．４（ｍｍ）の略直方体形状をしており、ＩｎＧａＮ系のものが使用されている。このＬＥＤ７から発せられる光色は青色である。なお、ＬＥＤ７の底面は、例えば、一辺が０．１（ｍｍ）〜２．０（ｍｍ）の長方形（前記一辺は長辺である。）や四角形以外の多角形であっても良いのは言うまでもない。
【００２５】
波長変換部材５は、主成分（重量比率で５０（％）以上を占める。）が絶縁アルミナ等のセラミック材料であり、蛍光体として、黄色発光のものが利用されている。これにより、ＬＥＤ７から発せられた青色光は、蛍光体によって一部が黄色光に変換され、変換後の黄色光と青色光とにより、発光装置から出射される際には、白色の光が発せられる。なお、蛍光体として、黄色発光に限定するものでなく、緑色発光、赤色発光、さらには、これらの混色合成光であっても良い。
【００２６】
波長変換部材５と基台本体３ａとの間に介在する反射部材１３として、Ａｇ、Ａｌ、多層反射膜（例えば、ＳｉＯ２+Ｔａ２Ｏ５等である。）等を利用することができる他、例えば、透明樹脂を用いて接合する場合はアルミナのような白色絶縁部材を基材に使用すれば、反射部材として用いることも可能である。
反射部材１３の基台本体３ａへの取着及び波長変換部材５の反射部材１３への取着に利用される材料は、エポキシ樹脂、シリコーン樹脂、または、これらのハイブリッド材を主体とした樹脂、さらには、フッ素樹脂、低融点ガラスなどの無機材料、あるいは、金属接合が可能なＡｕをはじめとする金属材料、金属共晶による接合が可能なＡｕ・Ｓｎ等に代表される金属材料等である。
【００２７】
また、ＬＥＤ７の波長変換部材５への実装するための透明の固着剤１７は、エポキシ樹脂、シリコーン樹脂、または、これらのハイブリッド材を主体とした樹脂、さらには、フッ素樹脂、低融点ガラスなどの無機材料等である。
波長変換部材５は、正面から見たとき、反射部材１３と当接する面と、ＬＥＤ７を実装する実装面１５との角度Ｃは、ここでは、略３５度であるが、他の角度であっても良い。
＜第２の実施の形態＞
第１の実施の形態では、一つのＬＥＤ７が一つの波長変換部材５に実装されていたが、一つの波長変換部材に複数のＬＥＤが実装されていても良い。第２の実施の形態では、一つの波長変換部材に４つのＬＥＤが実装されている場合について説明する。
【００２８】
図７は第２の実施の形態に係る発光装置の正面図、図８は第２の実施の形態に係る発光装置の平面図、図９は図８のＸ−Ｘ線断面を矢印方向か見た図である。
発光装置１０１は、基台１０３、波長変換部材１０５、複数（ここでは、４つである。）個のＬＥＤ１０７を備え、波長変換部材１０５の４つの実装面１０９のそれぞれにＬＥＤ１０７が実装された状態で、波長変換部材１０５が基台１０３の搭載面に搭載されてなる。
【００２９】
基台１０３は、任意の形状、ここでは、平面視において正方形をする直方体状し、第１の実施の形態と同様に、波長変換部材１０５を搭載する搭載領域と、ＬＥＤ１０７と電気的に接続するために形成された配線パターン１１１（図８参照）とを備える。
波長変換部材１０５は、第１の実施の形態と同様に、基台１０３の基台本体１０３ａに設けられた反射部材１１３に搭載されている。なお、波長変換部材１０５は、蛍光体を含んだセラミックから構成され、反射部材１１３の主面は基台１０３の搭載面１１２となる。
【００３０】
波長変換部材１０５は、図７〜９に示すように、裁頭四角錘をし、その４つの側面がＬＥＤ１０７を実装するための実装面１０９である。また、波長変換部材１０５の反射部材１１３側の面が被搭載面であり、当該被搭載面と平行な面が出射面１１０である。
この場合も、波長変換部材１０５の実装面１０９は、基台１０３の搭載面１１２である主面に対して傾斜することとなる。
【００３１】
ＬＥＤ１０７は、第１の実施の形態と同様に、両面電極型であり、Ｐ側電極１１５がワイヤ（金線）１１７を介してランド１１１ａに、Ｎ側電極１１９が導電性部材１２１を介してランド１１１ｂに、それぞれ電気的に接続される。
図１０は、発光装置の動作状態を説明する図である。
図１０は、図９の断面図で表れている２つのＬＥＤ１０７ａ，１０７ｂから出射された光の進行及び波長変換部材１０５内の熱の移動を模式的に表している。なお、図１０は断面図であるが、説明の便宜上、ハッチング等は省略している。
【００３２】
発光装置１０１のＬＥＤ１０７に給電がされると、ＬＥＤ１０７ａから波長変換部材１０５側に出射された光は、同図の白抜きの矢印Ａ１ａで示すように、波長変換部材１０５に入射した後、反射部材１１３（搭載面１１２でもある。）で反射して波長変換部材１０５の出射面１１０から外部へと出射され、同様に、ＬＥＤ１０７ｂから波長変換部材１０５側に出射された光は、同図の白抜きの矢印Ａ１ｂで示すように、波長変換部材１０５内で反射部材１１３（搭載面１１２である。）によって反射されて波長変換部材１０５の出射面１１０から外部へと出射される。
【００３３】
一方、ＬＥＤ１０７が発光する際の熱及び蛍光体が波長変換する際に生じる熱は、矢印Ｂ１で示すように、反射部材１１３を通って基台１０３（基台本体１０３ａ）へと伝わる。
＜変形例＞
以上、本発明を実施の形態に基づいて説明したが、本発明の内容が、上記の実施の形態に示された具体例に限定されないことは勿論であり、例えば、以下のような変形例を実施することができる。
１．ＬＥＤ
（１）タイプ
（１−１）両面電極型
実施の形態でのＬＥＤは、両面電極型であり、Ｎ側電極と基台のランドとを伝導性部材を介して電気的に接続していたが、他の方法で、Ｎ側電極と基台のランドとを電気的に接続しても良い。以下、実施の形態と異なる方法でＮ側電極と基台のランドとを接続する方法を変形例１として説明する。
【００３４】
図１１は変形例１に係る発光装置の正面図、図１２は変形例１に係る平面図、図１３の（ａ）は波長変換部材のみが搭載された基台の平面図、（ｂ）はＬＥＤの底面図である。
発光装置２０１は、実施の形態と同様に、基台２０３、波長変換部材２０５、ＬＥＤ２０７を備える。なお、波長変換部材２０５の搭載方法、ＬＥＤ２０７の実装方法は、実施の形態と基本的に同じである。
【００３５】
基台２０３は、図１２及び図１３の（ａ）に示すように、波長変換部材２０５を搭載する側の主面２０３ａに、ＬＥＤ２０７のＰ側電極と電気的に接続するランド２０９ａと、ＬＥＤ２０７のＮ側電極と電気的に接続するランド２０９ｂとからなる配線パターン２０９が形成されている。
ＬＥＤ２０７は、図１３の（ｂ）に示すように、一方の主面にＮ側電極２１１，２１１を有し、また、図１１に示すように、他方の主面にＰ側電極２１３を有する両面電極型である。
【００３６】
波長変換部材２０５は、図１３の（ａ）に示すように、ＬＥＤ２０７を実装するための実装面２０５ａにＬＥＤ２０７のＮ側電極２１１用の配線パターン２１４が形成されている。
波長変換部材２０５の配線パターン２１４は、図１１及び１２に示すように、基台２０３のランド２０９ｂとワイヤ２１５ｂで電気的に接続される。このため、波長変換部材２０５の配線パターン２１４は、ＬＥＤ２０７のＮ側電極２１１と接続でき、且つ基台２０３のランド２０９ｂとワイヤ２１５ｂで接続できる大きさを有する。
【００３７】
なお、ＬＥＤ２０７のＮ側電極２１１と波長変換部材２０５の配線パターン２１４の接続は、例えば、バンプや導電性ペースト（ここではバンプ２１５である。）を介して行われている。
（１−２）片面電極型
ここでは、片面電極型のＬＥＤを用いた場合について説明する。以下、波長変換部材に実装される面に電極を有する例を変形例２、３とし、波長変換部材に実装されない面に電極を有する例を変形例４として説明する
（あ）変形例２
図１４は変形例２に係る発光装置の正面図、図１５は変形例２に係る平面図、図１６は波長変換部材のみが搭載された基台の平面図である。
【００３８】
発光装置２２１は、実施の形態と同様に、基台２２３、波長変換部材２２５、ＬＥＤ２２７を備える。なお、波長変換部材２２５の搭載方法、ＬＥＤ２２７の実装方法は、実施の形態と基本的に同じである。
基台２２３は、図１４及び図１６に示すように、波長変換部材２２５を搭載する側の主面２２３ａに、ＬＥＤ２２７のＰ側電極と電気的に接続するランド２２９ａと、ＬＥＤ２２７のＮ側電極と電気的に接続するランド２２９ｂとからなる配線パターン２２９が形成されている。
【００３９】
ＬＥＤ２２７は、図１５に示すように、波長変換部材２２５に実装される側の主面に、Ｐ側電極２３１ａとＮ側電極２３１ｂとを有する片面電極型である。
ＬＥＤ２２７は、波長変換部材２２５の実装面２２５ａに固着剤を介して実装され、Ｐ側電極２３１ａが導電性部材２３２ａを介して基台２２３のランド２２９ａに接続され、Ｎ側電極２３１ｂが導電性部材２３２ｂを介して基台２２３のランド２２９ｂに接続されている。
【００４０】
（い）変形例３
図１７は変形例３に係る発光装置の正面図、図１８は変形例３に係る平面図、図１９は波長変換部材のみが搭載された基台の平面図である。
発光装置２４１は、実施の形態と同様に、基台２４３、波長変換部材２４５、ＬＥＤ２４７を備える。なお、波長変換部材２４５の搭載方法、ＬＥＤ２４７の実装方法は、実施の形態と基本的に同じである。
【００４１】
基台２４３は、図１８及び１９に示すように、波長変換部材２４５を搭載する側の主面２４３ａに、ＬＥＤ２４７のＰ側電極と電気的に接続するランド２４９ａと、ＬＥＤ２４７のＮ側電極と電気的に接続するランド２４９ｂとからなる配線パターン２４９が形成されている。
ＬＥＤ２４７は、図１８に示すように、波長変換部材２４５に実装される側の主面に、Ｐ側電極２５１ａとＮ側電極２５１ｂとを有する片面電極型である。
【００４２】
波長変換部材２４５は、図１９に示すように、ＬＥＤ２４７を実装するための実装面２４５ａに、ＬＥＤ２４７のＰ側電極２５１ａ用のランド２５３ａとＮ側電極２５１ｂ用のランド２５３ｂとからなる配線パターン（２５３）が形成されている。
波長変換部材２４５のランド２５３ａ，２５３ｂは、図１７及び１８に示すように、基台２４３のランド２４９ａ，２４９ｂとワイヤ２５５ａ，２５５ｂで電気的に接続される。なお、ＬＥＤ２４７のＮ側電極２５１ｂと波長変換部材２４５の配線パターン２５３の接続は、例えば、バンプや導電性ペースト（ここではバンプ２５７である。）を介して行われている。
【００４３】
（う）変形例４
図２０は変形例４に係る発光装置の正面図、図２１は変形例４に係る平面図である。
発光装置２６１は、実施の形態と同様に、基台２６３、波長変換部材２６５、ＬＥＤ２６７を備える。なお、波長変換部材２６５の搭載方法、ＬＥＤ２６７の実装方法は、実施の形態と基本的に同じである。
【００４４】
基台２６３は、図２１に示すように、波長変換部材２６５を搭載する側の主面２６３ａに、ＬＥＤ２６７のＰ側電極と電気的に接続するランド２６９ａと、ＬＥＤ２６７のＮ側電極と電気的に接続するランド２６９ｂとからなる配線パターン２６９が形成されている。
ＬＥＤ２６７は、図２０に示すように、波長変換部材２６５に実装される側と反対側の主面にＰ側電極２７１ａとＮ側電極２７１ｂとを有する片面電極型である。Ｐ側電極２７１ａは基台２６３のランド２６９ａとワイヤ２７３ａで、Ｎ側電極２７１ｂは基台２６３のランド２６９ｂとワイヤ２７３ｂで、それぞれ電気的に接続されている。
（２）構造
実施の形態や上記変形例（以下、単に「実施の形態等」とする。）では、ＬＥＤは、波長変換部材に実装される側と反対側の主面に反射膜（具体的には、実施の形態における反射膜３１である。）を有していたが、ＬＥＤの側面に反射膜を有していても良い。
【００４５】
以下、側面に反射膜を有するＬＥＤを用いた場合を変形例５として説明する。
図２２は、変形例５に係る発光装置の正面図であり、ＬＥＤの内部が分かるように一部を切り欠いている。
なお、図２２は、実施の形態における発光装置１のＬＥＤだけが異なるため、ＬＥＤ以外の符号は、実施の形態と同じ符号をそのまま使用している。
【００４６】
発光装置２８１は、実施の形態と同様に、基台３、波長変換部材５、ＬＥＤ２８３を備える。なお、波長変換部材２６５の搭載方法、ＬＥＤ２６７の実装方法は、実施の形態と基本的に同じである。また、ＬＥＤは、上述のように、両面電極型、片面電極型のどちらのタイプでも実施できるため、ここでの電極等の電気的接続の図示等は省略する。
ＬＥＤ２８３は、ＬＥＤ本体２８５と、ＬＥＤ本体２８５の波長変換部材５と反対側である主面（上面）に形成された反射膜２８７と、ＬＥＤ本体２８５の全てあるいは一部の側面（ここでは全ての側面である。）に形成された反射膜２８９とを備え、ＬＥＤ２８３の波長変換部材５側の面が固着剤１７を介して波長変換部材５に実装されている。
【００４７】
なお、側面の反射膜２８９は、ＬＥＤの発光層から出力された光を波長変換部材５の実装面側へと反射させるべく、波長変換部材５の実装面から離れるに従って、ＬＥＤ本体２８５の中心側に近づく傾斜面となっている。
このような構成のＬＥＤ２８３を有する発光装置では、ＬＥＤ本体２８５から各方向に発せられた光、具体的には、上面・側面側に発せられた光を反射膜２８７，２８９で波長変換部材５側に反射させるため、ＬＥＤ本体２８５から発せられた光を有効に利用することができる。
２．波長変換部材
（１）形状
波長変換部材は、第１の実施の形態における波長変換部材や、第２の実施の形態における波長変換部材等以外の形状であっても良い。
（あ）三角形状
第１の実施の形態における波長変換部材は、横断面形状が基台側の辺とＬＥＤ側の辺との間の角Ｃの角度が３５度の三角形の三角柱であったが、横断面形状が他の三角形状であっても良い。
【００４８】
以下、他の三角形状の三角柱の波長変換部材を用いた場合を変形例６、７として説明する。
図２３の（ａ）は変形例６に係る発光装置の正面図であり、（ｂ）は変形例６に係る波長変換部材内の光路を示す概略図である。
なお、ＬＥＤは、上述のように、両面電極型、片面電極型のどちらのタイプでも実施できるため、ここでの電極等の電気的接続の図示等は省略する。
【００４９】
同図の（ａ）に示すように、波長変換部材３０１は、被搭載面３０１ａと実装面３０１ｂとの間の角Ｄの角度が４５度の三角柱であり、横断面形状において、被搭載面３０１ａに相当する辺に対向する角を挟む２つの面３０１ｂ，３０１ｃに対応する２つの辺の長さが等しい二等辺三角形状をしている。
そして、横断面形状において二等辺のうちの一辺に相当する面がＬＥＤ３０３を実装する実装面３０１ｂに、二等辺のうちの他辺に相当する面が出射面３０１ｃにそれぞれなっている。
【００５０】
このような形状の波長変換部材３０１を用いた場合、（ｂ）の矢印で示すように、ＬＥＤ３０３から波長変換部材３０１に入射した光の内、実装面３０１ｂに対して直交して入射した光は、入射位置に関係なく、入射してから反射部材３０５（基台の搭載面である。）で反射されるまでの光路長（反射前の光路長）と反射部材３０５で反射されて出射面３０１ｃまでの光路長（反射後の光路長）との和が等しくなる。
【００５１】
図２３の（ｂ）を参照して具体的に説明すると、ＬＥＤ３０３を実装している実装面３０１ｂに対して直交して入射した光であってＥ点に入射した光の光路長は、実線の矢印で示すように、反射部材３０５によりＥ１点で反射する前のＥ点からＥ１点までの距離（反射前の光路長に相当する。）と、反射した光がＥ２点から波長変換部材３０１の外部へと出射されるまでＥ１点からＥ２点までの距離（反射後の光路長に相当する。）の和となる。
【００５２】
一方、Ｆ点に入射した光の光路長は、破線の矢印で示すように、反射部材３０５によりＦ１点で反射する前のＦ点からＦ１点までの距離（反射前の光路長に相当する。）と、反射した光がＦ２点から波長変換部材３０１の外部へと出射されるまでＦ１点からＦ２点までの距離（反射後の光路長に相当する。）の和となる。
ここで、当該波長変換部材３０１の形状が、被搭載面３０１ａと直交し且つ当該被搭載面３０１ａに対向する頂角を通る仮想線分（仮想面）Ｇに対して、その両側（図において仮想線分Ｇを挟んでその左右である。）が対称であるため、Ｅ点に入射した光の光路長とＦ点に入射した光の光路長は等しくなる。
【００５３】
このように、波長変換部材内での光路長が等しくなれば、波長変換された後の光の波長のバラツキが小さくなり、均一の波長の光が発光装置から出射されることとなる。
図２４は変形例７に係る発光装置の正面図である。
なお、ＬＥＤは、上述のように、両面電極型、片面電極型のどちらのタイプでも実施できるため、ここでの電極等の電気的接続の図示等は省略する。
【００５４】
同図の（ａ）に示す波長変換部材３１１は、被搭載面３１１ａと実装面３１１ｂとの間の角Ｄの角度が３０度の三角柱であり、横断面形状において、被搭載面３１１ａに相当する辺に対向する角を挟む２つの面３１１ｂ，３１１ｃに相当する２つの辺の長さが等しい二等辺三角形状をしている。
そして、横断面形状において、二等辺のうちの一辺に相当する面が実装面３１１ｂに、他辺に相当する面が出射面３１１ｃになっている。
【００５５】
このような形状の波長変換部材３１１を用いた場合も、ＬＥＤ３０３から波長変換部材３１１内に入射した光の内、実装面３１１ｂに対して直交して入射した光は、その入射位置に関係なく、反射部材３０５で反射されるまでの反射前の光路長と反射部材で反射された後の反射後の光路長との和が等しくなり、均一な所望の波長の光が発光装置から出射されることとなる。
【００５６】
また、図２４の（ｂ）に示す波長変換部材３１３は、被搭載面３１３ａと実装面３１３ｂとの間の角Ｄの角度が６０度の三角柱であり、横断面形状において、被搭載面３１３ａに相当する辺と、この辺に対向する角を挟む２つの面３１３ｂ，３１３ｃに相当する２つの辺との３つの辺の長さが等しい正三角形状をしている。
このような形状の波長変換部材３１３を用いた場合、例えば、ＬＥＤ３０３における波長変換部材３１３の頂角（基台と対向する角）に近い位置から波長変換部材３１３内に浸入した光が反射部材３０５で反射するような大きさの波長変換部材の場合、変形例６と同様に、均一な所望の波長の光が発光装置から出射されることとなる。
【００５７】
（い）三角形をベースとした形状
横断面形状が三角形状をベースとした形状の波長変換部材を用いた場合を、変形例８として説明する。
図２５は変形例８に係る発光装置の正面図である。
なお、ここでも電極等の電気的接続の図示等は省略する。
【００５８】
同図の（ａ）に示す波長変換部材３２１は、横断面形状が、被搭載面３２１ａに相当する辺と実装面３２１ｂに相当する辺との間の角Ｄが鋭角（９０度以下の角）の三角形であって、角Ｄに対向する辺（出射面３２１ｃに相当する。）が円弧状をする立体形状をしている。
このような形状の波長変換部材３２１を用いた場合、波長変換部材３２１の出射面３２１ｃから外部に光を照射する際に、出射面３２１ｃが横断面において円弧状をしているため、出射面３２１ｃでの反射を防ぐことができ、発光装置としての光の取り出し効率を向上させることができる。
【００５９】
同図の（ｂ）に示す波長変換部材３２３は、横断面形状が、被搭載面３２３ａに相当する辺と実装面３２３ｂに相当する辺との間の角Ｄが鋭角（９０度以下の角）の三角形であって、角Ｄに対向する辺（出射面３２３ｃに相当する。）がジグザグ状をする立体形状をしている。
このような形状の波長変換部材３２３を用いた場合、波長変換部材３２３の出射面３２３ｃから外部に光を照射する際に、出射面３２３ｃが横断面においてジグザグ状をしているため、出射面３２３ｃでの反射するのを防ぐことができ、発光装置としての光の取り出し効率を向上させることができる。
【００６０】
（う）四角形状
横断面形状が四角形状の四角柱の波長変換部材を用いた場合を、変形例９，１０として説明する。
図２６は変形例９に係る発光装置の正面図である。なお、ここでも電極等の電気的接続の図示等は省略する。
【００６１】
同図の（ａ）に示す波長変換部材３３１は、横断面形状が台形状をし、上辺と下辺のうち長い方の辺（同図では基台側に近い辺であり、この辺を下辺となる。）に相当する面が被搭載面３３１ａとなり、当該被搭載面３３１ａが基台本体３３３に反射部材３３５を介して搭載されている。
ＬＥＤ３０３は、波長変換部材３３１の面のうち、横断面において台形状を構成する一方の斜辺に相当する実装面３３１ｂに実装されている。この実装面３３１ｂは、波長変換部材３３１の横断面において、被搭載面３３１ａに対して、例えば６０度の角度で傾斜している。
【００６２】
ここでの波長変換部材３３１は、横断面における台形状の上辺（基台側と反対側）に相当する面に反射部材３３７が設けられており、波長変換部材３３１の面のうち、横断面において台形状を構成する他方の斜辺に相当する面が出射面３３１ｃとなっており、当該出射面３３１ｃから所望の波長の光が出射される。
このような形状の波長変換部材３３１を利用しても、ＬＥＤ３０３から出力されて波長変換部材３３１内に入射した光の一部は、同図の（ａ）に示すように、反射部材３３５，３３７で反射されてやがて出射面３３１ｃから外部へと出射される。
【００６３】
同図の（ｂ）に示す波長変換部材３４１は、横断面形状が長方形状をし、その一方の短辺（同図では下辺となる。）に相当する面が被搭載面３４１ａとなり、当該被搭載面３４１ａが基台３４３に反射部材３４５を介して搭載されている。
ＬＥＤ３０３は、波長変換部材３４１の面のうち、横断面において長方形状を構成する一方の長辺に相当する実装面３４１ｂに実装されている。この実装面３４１ｂは、波長変換部材３４１の横断面において、被搭載面３４１ａに対して、例えば９０度の角度で傾斜している。
【００６４】
ここでの波長変換部材３３１は、横断面における長方形状の他方の短辺（基台側と反対側）に相当する面に反射部材３４７が設けられており、波長変換部材３４１の面のうち、横断面において長方形状を構成する他方の長辺に相当する面が出射面３４１ｃとなっており、当該出射面３４１ｃから所望の波長の光が出射される。
このような形状の波長変換部材３４１を利用しても、ＬＥＤ３０３から発せられて波長変換部材３４１内に入射した光の一部は、同図の（ｂ）に示すように、反射部材３４５，３４７で反射して出射面３４１ｃから外部へと出射される。
【００６５】
同図の（ｃ）に示す波長変換部材３５１は、横断面形状が平行四角形状をし、一つの角を介して隣接し合う一方の辺に相当する被搭載面３５１ａが基台本体３５３の反射部材３５５と当接する状態で基台に搭載され、また、隣り合う他方の辺に相当する実装面３５１ｂにＬＥＤ３０３が実装されている。
ＬＥＤ３０３が実装されている実装面３５１ｂは、波長変換部材３４１の横断面において、被搭載面３５１ａに対して、例えば、１２０度の角度で傾斜している。
【００６６】
ここでの波長変換部材３５１は、横断面における被搭載面３５１ａに相当する辺に対向する辺に相当する面（上面）には反射部材３５７が設けられており、波長変換部材３５１の面のうち、横断面においてＬＥＤ３０３を実装している実装面３５１ｂに対向する辺に相当する面が出射面３５１ｃとなっており、当該出射面３５１ｃから所望の波長の光が出射される。
【００６７】
このような波長変換部材３５１を利用しても、ＬＥＤ３０３から発せられて波長変換部材３５１内に入射した光の一部は、同図の（ｃ）に示すように、反射部材３５５，３５７で反射して出射面３５１ｃから外部へと出射される。
なお、変形例９では、基台と対向する面に反射部材３３７，３４７，３５７が形成されていたが、光の配光によっては形成されていなくても良く、また、反射部材３３７，３４７，３５７は、例えば、白色等の反射膜や、鏡面加工された反射面を有する反射部材等であっても良い。
【００６８】
図２７は変形例１０に係る発光装置の正面図である。なお、ここでも電極等の電気的接続の図示等は省略する。
同図の（ａ）に示す波長変換部材３６１は、その横断面形状が、長方形と、この長方形の短辺を一辺とする直角二等辺三角形とをあわせた四角形状をし、長方形の一方の長辺と、この長辺の延長上にある直角二等辺三角形の底辺とをあわせた辺に相当する面が被搭載面３６１ａであり、基台本体に３６３に設けられた反射部材３６５に前記被搭載面３６１ａが当接する状態で、波長変換部材３６１が基台に搭載されている。
【００６９】
ＬＥＤ３０３は、波長変換部材３６１の面のうち、横断面において直角二等辺三角形の直角に対向する斜辺に相当する実装面３６１ｂに実装されている。この実装面３６１ｂは、波長変換部材３６１の横断面において、被搭載面３６１ａに対して４５度の角度で傾斜している。
ここでの波長変換部材３６１は、横断面において、ＬＥＤ３０３を実装する実装面３６１ｂに対応する辺と対向する辺に相当する面と、長方形の上辺（基台側と反対側）に相当する面とが出射面３６１ｃ，３６１ｄとなっており、この出射面３６１ｃ，３６１ｄから所望の波長の光が出射される。
【００７０】
同図の（ｂ）に示す波長変換部材３７１は、同図の（ａ）に示す波長変換部材３６１の長方形の上辺（基台側と反対側）に相当する面３６１ｄに反射部材３６７を備えたものである。このような波長変換部材３７１を利用すると、ＬＥＤ３０３から出力されて波長変換部材３７１内に入射した光の一部は、反射部材３６５，３６７で反射しながら面３６１ｃから外部へと出射される。
【００７１】
なお、変形例１０においても、反射部材３６７は、例えば、白色等の反射膜や、鏡面加工された反射面を有する反射部材等であっても良い。
（え）四角形をベースとした形状
上記（う）では横断面形状が四角形状をしていたが、この四角形状をベースとした形状の波長変換部材を用いても良い。
【００７２】
具体的には、変形例８のように、波長変換部材における光の出射面の形状を、円弧状にしたり、ジグザグ状にしたりした形状であっても良い。このような形状とすることで、変形例８と同様に、光の取り出し効率を向上させることができる。
（お）他の形状
横断面形状が五角形状の五角柱の波長変換部材を用いた場合を、変形例１１として説明する。
【００７３】
図２８は変形例１１に係る発光装置の正面図である。なお、ここでも電極等の電気的接続の図示等は省略する。
同図の（ａ）に示す波長変換部材３８１は、横断面形状が、長方形３８１ｘと、この長方形の短辺を底辺とする三角形３８１ｙとをあわせた五角形状をし、前記三角形３８１ｙは、２つの斜辺の長さが等しい二等辺三角形をしている。
【００７４】
波長変換部材３８１は、横断面における長方形３８１ｘの一方の長辺に相当する被搭載面３８１ａが反射部材３８５に当接する状態で、基台本体３８３に搭載され、また、横断面において二等辺三角形（３８１ｙ）における基台３８３に近い側に位置する斜辺に相当する面３８１ｅが反射部材３８６を介して基台本体３８３に装着されている。
ＬＥＤ３０３は、波長変換部材３８１の面のうち、横断面において二等辺三角形（３８１ｙ）における基台３８３から遠い側に位置する斜辺に相当する実装面３８１ｂに実装されている。波長変換部材３６１の横断面において、この実装面３８１ｂと被搭載面３８１ａ（基台３８３の搭載面３６１ａとが平行である。）との間の角Ｈの角度は、４５度である。
【００７５】
ここでの波長変換部材３８１は、横断面において、波長変換部材３８１の三角形３８１ｙと対向する辺に相当する面と、長方形の他方の長辺（基台側と反対側）に相当する面とが出射面３８１ｃ，３８１ｄであり、当該出射面３８１ｃ，３８１ｄから所望の波長の光が出射される。
同図の（ｂ）に示す波長変換部材３９１は、同図の（ａ）に示す波長変換部材３８１の長方形の上辺（基台側と反対側）に相当する面３８１ｄに反射部材３８７を備えたものである。このような波長変換部材３９１を利用すると、ＬＥＤ３０３から出力されて波長変換部材３７１内に入射した光の一部は、反射部材３８５，３８６，３８７で反射しながら出射面３８１ｃから外部へと出射される。
【００７６】
なお、変形例１１においても、反射部材３８７は、例えば、白色等の反射膜や、鏡面加工された反射面を有する反射部材等であっても良いし、反射部材３８６は、波長変換部材３８１の面３８１ｅに形成される反射膜であっても良い。
上記変形例では横断面形状が五角形状をしていたが、この五角形状をベースとした形状の波長変換部材を用いても良い。具体的には、変形例８のように、波長変換部材における光の出射面の形状を、円弧状にしたり、ジグザグ状にしたりした形状であっても良い。このような形状とすることで、変形例８と同様に、光の取り出し効率を向上させることができる。
【００７７】
また、波長変換部材は、その横断面形状が六角形以上の多角形状をしていても良いし、さらには、六角形以上の多角形状をベースとして、その光の出射面が変形例８のように、波長変換部材における光の出射面の形状を、円弧状にしたり、ジグザグ状にしたりした形状であっても良い。
また、出射面は、波長変換部材が、その横断面形状において多角形状をしている場合、１以上の辺に相当する複数の面としても良い。
（２）角度
波長変換部材の被搭載面と実装面との間の角度についての適用例を、上記各実施の形態及び各変形例で説明したが、上記角度については、発光装置として光の出射方向、波長変換部材から外部へと光が出射する出射面の大きさ、さらには、前記出射面と実装面との距離等により適宜決定される。
【００７８】
しかしながら、基台の搭載面、波長変換部材の実装面及び出射面の３面が、実装面から入射したＬＥＤからの出力光の一部を波長変換しながら基台の搭載面で反射された後、出射面から出射する光学（的な）位置関係にある必要がある。
具体的には、図２６の（ｂ）に示すように、ＬＥＤ３０３から波長変換部材３４１にその実装面３４１ｂに対して直交して入射する光をそのまま波長変換部材３４１の出射面３４１ｃから出射させ、ＬＥＤ３０３から波長変換部材３４１の実装面３４１ｂに対して斜めに（直交していない）入射する光を反射部材３４５，３４７で反射させながら出射面３４１ｃから出射させる場合は、波長変換部材の被搭載面と実装面との間の角度が、９０度前後、より具体的には、８５度以上９５度以下の範囲が好ましい。
【００７９】
この理由は、反射部材３４５，３４７に反射する回数が増えると反射の際の光吸収によるロスが多く発生するからである。
逆に、具体的には、図２４の（ａ）に示すように、ＬＥＤ３０３から波長変換部材３１１にその実装面３１１ｂに対して直交して入射する光を反射部材３０５で反射させた後に波長変換部材３１１の出射面３１１ｃから出射させる場合は、波長変換部材の被搭載面とＬＥＤ側の面との間の角度が９０度以下である必要がある。
【００８０】
この場合、ＬＥＤ３０３から波長変換部材３１１にその実装面３１１ｂに対して直交して入射する光の全てを反射部材３０５で反射させる必要がある。つまり、実装面３１１ｄにおける角Ｄから最も離れた位置から入射したＬＥＤの光も反射部材３０５で反射させる必要がある。
このためには、下記の関係式を満足する必要がある。
【００８１】
Ｌ２  ≧  Ｌ１×ｃｏｓＤ
ここで、Ｌ１は、図２４の（ａ）に示すように、ＬＥＤ３０３における波長変換部材の被搭載面と実装面との間の角Ｄから最も離れた位置と、角Ｄとの距離である。また、Ｌ２は、反射部材３０５における基台の搭載面と平行な方向の距離（被搭載面３１１ａに対応する辺の長さ）である。
【００８２】
さらに、波長変換部材内に入射した光を効率良く波長変換部材から出射させるためには、波長変換部材に入射した光の反射回数を少なくする必要があり、この場合には、波長変換部材の基台の搭載面と実装面との間の角Ｄは、３５度以上９０度未満の範囲が好ましく、特に４５度程度が好ましい。
これは、波長変換部材の実装面と基台の搭載面との間の角Ｄが３５度より小の場合、ＬＥＤと基台との距離が短くなる。このため、点灯時のＬＥＤの熱を基台側に伝え易くなり、良好な放熱特性を得ることができるが、ＬＥＤから出力されて波長変換部材を通って基台で反射した反射光がＬＥＤに戻り、光の反射ロスが増えてしまうからである。
【００８３】
一方、波長変換部材の実装面と基台の搭載面との間の角Ｄが９０度以上の場合、ＬＥＤと基台との距離が長くなる。このため、ＬＥＤから出力されて波長変換部材を通って基台で反射した反射光がＬＥＤに戻ることが少なく、光の反射ロスを抑制できるが、点灯時のＬＥＤの熱を基台側に伝え難くなり、良好な放熱特性を得ることができない。
このように、ＬＥＤから出力されて基台でＬＥＤに向かって反射する光の反射ロスと、波長変換部材を介した放熱特性との両面を考慮すると、波長変換部材の実装面と基台の搭載面との間の角Ｄが４５度程度（４５°±１０°）であるのが好ましい。
（３）構造
実施の形態等では、波長変換部材における基台と対向する反射部材を設けていたが、波長変換部材から外部へと光を出射する面以外の面に反射部材（反射膜を含む。）を設けても良い。
【００８４】
光を出射する面以外の面に反射部材を有する波長変換部材を変形例１２として説明する。
図２９は、変形例１２に係る発光装置の斜視図である。
発光装置４０１は、ＬＥＤ４０３を実装面に実装する波長変換部材４０５が反射部材を介して基台側（基台本体）に搭載されている。図２９では、波長変換部材４０５が搭載され反射部材等の図示を省略しており、波長変換部材４０５の下面（被搭載面）が反射部材に結合されている。
【００８５】
波長変換部材４０５は、図２９に示すように、横断面が二等辺三角形をした三角柱状をし、等辺でない下辺に相当する面が被搭載面であり、当該被搭載面を介して基台に搭載される。
二等辺を構成している一方の辺に相当する実装面には、同図の（ａ）に示すように、１つのＬＥＤ４０３が実装され、また、当該実装面におけるＬＥＤ４０３が実装されていない領域には、反射部材４０７，４０７が設けられている。また、二等辺を構成している他方の辺に相当する面が出射面４０５ａとなっており、当該出射面４０５ａから光が出射するようになっている。
【００８６】
また、波長変換部材４０５における下面（被搭載面）に対して直交する平行な２つの面（側面）には、反射部材４０９，４０９が設けられている。
この構成により、ＬＥＤ４０３から入射した全ての光を各反射部材で出射面４０５ａ側へと反射するので、ＬＥＤ４０３の光の取り出し効率を向上させることができる。
なお、図２９の（ａ）に係る発光装置では、１つのＬＥＤ４０３を実装していたが、複数個のＬＥＤを実装しても良く、例えば、図２９の（ｂ）に示すように、３個のＬＥＤ４０３，４１１，４１３を実装しても良い。
３．波長変換部材
実施の形態等における波長変換部材は、所定の蛍光体を含むセラミックや樹脂であったが、他の材料により構成しても良い。他の材料としては、蛍光体セラミックス（バルク）、蛍光体の蒸着膜等がある。
４．発光装置
（１）光特性
実施の形態等では、ＬＥＤから波長変換部材に入射した光が、波長変換部材の出射面から直接的に外部へと出射されていたが、波長変換部材の出射面から間接的に外部へと出射されても良い。
【００８７】
波長変換部材の出射面から間接的に外部へと出射する場合を変形例１３として説明する。
図３０は、変形例１３に係る発光装置の正面図である。
発光装置４２１は、基台４２２、波長変換部材４２５、ＬＥＤ４２７を備えるほか、光拡散部材４２９を備える。なお、波長変換部材４２５の搭載方法、ＬＥＤ４２７の実装方法は、実施の形態等と基本的に同じである。
【００８８】
波長変換部材４２５は、三角柱状をし、その三角形状の底面である被搭載面４２５ａが基台本体４２３に反射部材４３１を介して搭載され、実装面４２５ｂにＬＥＤ４２７が固着剤４３３を介して実装され、さらに、ＬＥＤ４２７を実装する実装面４２５ｂとは異なる他の斜面４２５ｃに光拡散部材４２９が装着されている。なお、この場合においても、斜面４２５ｃが出射面となる。
【００８９】
光拡散部材４２９は、例えば、プリズムエンボス加工されたフィルム、ＰＴＦＥ等の多孔体、炭酸カルシウム等の無機微粒子、架橋ポリスチレン等のポリマーを樹脂に添加してその表面で屈折を可能としたもの等により構成され、当該光拡散部材４２９に入射した光はその後拡散して、当該光拡散部材４２９から出射される。
なお、ここでは、光拡散部材４２９を波長変換部材の出射面に装着していたが、光特性に関する他の部材、例えば、集光レンズ等を波長変換部材の出射面に装着しても良い。
（２）放熱特性
実施の形態等では、ＬＥＤの発光時の熱を、波長変換部材から基台へと伝えて放熱していたが、他の方法でＬＥＤの発光時の熱を放熱させても良い。
【００９０】
他の方法によりＬＥＤの熱を放熱する場合を変形例１４として説明する。
図３１は、変形例１４に係る発光装置の正面図である。
発光装置４４１は、基台４４２、波長変換部材４４５、ＬＥＤ４４７、光拡散部材４４９を備える他、ＬＥＤ４４７を実装し且つ基台４４２に装着された実装部材４５１を備える。なお、波長変換部材４２５の搭載方法等、実施の形態と基本的に同じである。
【００９１】
波長変換部材４２５は、三角柱状をし、その三角形状の底面である被搭載面４４５ａが基台本体４４３に反射部材４５２を介して搭載され、実装面４４５ｂにＬＥＤ４４７が固着剤４５３を介して接触状態で固着され、さらに、実装面４４５ｂとは異なる他の斜面が出射面４４５ｃで、この出射面４４５ｃに光拡散部材４４９が装着されている。なお、光拡散部材４４９は、上記変形例１３の光拡散部材４２９と基本的に同じである。
【００９２】
ＬＥＤ４４７は、ここでは片面電極型であり、図示しない導電性ペースト、バンプ等により実装部材４５１に実装されている。実装部材４５１は、ＬＥＤ４４７の電極に対応した配線パターンが形成され、基台本体４４３にも形成されている配線パターンと導電性部材４５５により電気的に接続されると共に、基台本体４４３に固着されている。
図３２は、変形例１４に係る発光装置の製造方法を説明する図である。
【００９３】
発光装置４４１は、主に、基台本体４４３に波長変換部材４４５（光拡散部材４４９が装着されている。）を搭載する搭載工程と、ＬＥＤ４４７を実装部材４５１に取着する取着工程と、基台４４２に搭載された波長変換部材４４５にＬＥＤ４４７と実装部材４５１とを実装する実装工程とを経て製造される。
（ｉ）搭載工程
搭載工程では、図３２に示すように、基台本体４４３における波長変換部材４４５と光拡散部材４４９との搭載領域に反射部材４５２が取着された基台４４２を準備する。そして、基台４４２上の反射部材４５２に波長変換部材４４５と光拡散部材４４９とを搭載する。この際、搭載領域が水平となるようにして行われる。
（ｉｉ）取着工程
取着工程では、図３２に示すように、実装部材４５１上の実装領域に導電性ペーストを介してＬＥＤ４４７を取着する。この際、実装領域４５１ａが水平となるようにして行われる。
（ｉｉｉ）実装工程
波長変換部材４４５、光拡散部材４４９を備え、さらには、波長変換部材４４５の実装面４４５ｂに導電性部材４５３が設けられた基台４４２を、同図に示すように、波長変換部材４４５の実装面４４５ｂが水平となるように、傾斜させる。
【００９４】
そして、この傾斜状態を保持したままで、ＬＥＤ４４７が波長変換部材４４５の実装面４４５ｂに対応し、また、実装部材４５１が基台本体４４３の取着位置に対応するように、それぞれ位置合わせを行った後、固着剤４５３、導電性部材４５５を介してこれらを結合させる。
これにより、発光装置４４１が完成する。
（３）部材
変形例１等では、ＬＥＤ２０７のＮ側電極２１１に給電するための給電方法として、波長変換部材２０５の搭載面２０５ａに配線パターン２１４を有していたが、他の方法で、ＬＥＤの電極に給電するようにしても良い。
【００９５】
以下、変形例１５、１６として説明する。
図３３は、変形例１５に係る発光装置の正面図である。
発光装置５０１は、図３３に示すように、両面電極型のＬＥＤ５０３と、当該ＬＥＤ５０３の電極に給電するための一対の給電端子５０５，５０７と、ＬＥＤ５０３からの出力光の波長を変換する波長変換部材５０９と、ＬＥＤ５０３の光出力面５０３ａに対して傾斜する反射面５１１ａを有する導電性の反射部材５１１と備える。
【００９６】
一対の給電端子５０５，５０７は、ＬＥＤ５０３の光出力面５０３ａに対して、直行する方向に配されている。給電端子５０５はＬＥＤ５０３の一方の電極に接続され、給電端子５０７は反射部材５１１を介してＬＥＤ５０３の他方の電極に接続されている。
反射部材５１１は、ＬＥＤ５０３の光出力面５０３ａから給電端子５０７側に離れるに従って幅が広がる形状をし、その側面が反射面５１１ａとなっている。なお、変形例１５においては、本発明の基台は、給電端子５０７と反射部材５１１とからなり、また、図３３において、上下が反転するような発光装置においても、本発明の一実施例であることは言うまでもない。
【００９７】
図３４は、変形例１６に係る発光装置の正面図である。
発光装置５２１は、図３４に示すように、基台５２３と、この基台５２３に搭載された波長変換部材５２５と、波長変換部材５２５に実装された片面電極型のＬＥＤ５２７と、当該ＬＥＤ５２７の電極のある側の面に装着された波長変換部材５２９と、ＬＥＤ５２７に給電するための一対の給電端子５３１，５３３と、給電端子５３１，５３３とＬＥＤ５２７の各電極とを接続する導電性の反射部材５３５，５３７とを備える。
【００９８】
基台５２３は、基台本体５４１と反射部５４３とを備える。反射部５４３は、基台本体５４１における波長変換部材５２５を搭載する側からＬＥＤ５２７側に突出し、その突出先端がＬＥＤ５２７に当接している（なお、両面電極型のＬＥＤの場合、反射部を導電性材料で構成すると、給電部としての機能を有することになる。）。
反射部５４３は、基台本体５４１からＬＥＤ５２７に近づくに従って、先細りする形状で突出し、反射部５４３の側面が反射面となっている。
【００９９】
本変形例１６におけるＬＥＤ５２７は、ＬＥＤ５２７における基台５４１側に光を出力するだけでなく、給電端子５３１，５３３側にも光を出力する。
基台５４１側に出力された光は、波長変換部材５２５内に進入し、波長変換されながら反射部５４３の反射面で所望方向に反射され、波長変換部材５２５における光の出射面から外部へと出射される。逆に、給電端子５３１，５３３側に出力された光は、波長変換部材５２９内に進入し、波長変換されながら反射部材５３５，５３７の反射面で所望方向に反射され、波長変換部材５２９における光の出射面から外部へと出射される。
【０１００】
つまり、波長変換部材５２９にＬＥＤ５２７と反射体５３５，５３７とがそれぞれ取着され、波長変換部材５２９は、反射体５３５，５３７と接触する接触面と、ＬＥＤが実装される実装面と、波長変換された光の出射面との少なくとも３面を有し、反射体５３５，５３７の接触面、波長変換部材５２９の実装面及び出射面の３面が、実装面から入射したＬＥＤ５２７からの出力光の一部を波長変換しながら反射体で反射された後、出射面から出射する光学位置関係にある。
５．波長変換部材とＬＥＤとの位置関係
波長変換部材における実装面の位置について、上記各実施の形態及び各変形例では特に説明しなかったが、実装面の位置は、波長変換部材の実装面と基台の搭載面との間の角度や、発光装置に求める特性等によって異なる。
【０１０１】
図３５は、波長変換部材とＬＥＤとの位置関係を説明する図であり、（ａ）は発光装置として求める特性が放熱特性の場合であり、（ｂ）は求める特性が光出射特性の場合である。
（ａ）に示す発光装置６０１は、基台６０３、波長変換部材６０５、ＬＥＤ６０７を備える。
【０１０２】
波長変換部材６０５における実装面６０５ａは、基台６０３の搭載面６０３ａに対して３０度の角度で傾斜している。
この発光光源６０１は、放熱特性を重視したものであり、ＬＥＤ６０７は、実装面６０５ａのある面と基台６０３の搭載面６０３ａのある面とが交差する位置（以下、「交差位置」とする。）に近い部位に実装されている。
【０１０３】
つまり、波長変換部材６０５の実装面６０５ａがある面における交差位置に近い領域に実装面６０５ａがあり、この実装面６０５ａにＬＥＤ６０７が実装されているため、実装面６０５ａと基台６０３との距離が近くなり、発光時のＬＥＤ６０７の熱を基台６０３側へと伝え易くできる。
なお、実装面６０３ａが交差位置に近いため、同図の（ｂ）に示すように、ＬＥＤ６０７から出力された光が波長変換部材６０５を通り、基台６０３で反射した反射光がＬＥＤ６１７に戻り易くなり、光の反射ロスが増える。
【０１０４】
（ｂ）に示す発光装置６１１は、基台６１３、波長変換部材６１５、ＬＥＤ６１７を備える。
波長変換部材６１５における実装面６１５ａは、基台６１３の搭載面６１３ａに対して３０度の角度で傾斜している。
この発光光源６１１は、光出射特性を重視し、反射ロスを少なくしたものであり、ＬＥＤ６１７は、実装面６１５ａのある面と基台６１３の搭載面６１３ａのある面とが交差する位置（この位置を、上述と同じ、「交差位置」とする。）から遠い部位に実装されている。
【０１０５】
つまり、波長変換部材６１５の実装面６１５ａがある面における交差位置から遠い領域に実装面６１５ａがあり、この実装面６１５ａにＬＥＤ６１７が実装されている。このため、同図の（ｂ）に示すように、ＬＥＤ６１７から出力された光が波長変換部材６１５を通り、基台６１３で反射した反射光がＬＥＤ６０７に戻り難くなり、光の反射ロスを抑制できる。
【０１０６】
なお、実装面６１３ａが交差位置から遠いため、実装面６１５ａと基台６１３との距離が遠くなり、発光時のＬＥＤ６１７の熱を基台６１３側へと伝え難くなる。
６．最後に
各実施の形態及び各変形例では、それぞれ個別に特徴部分について説明したが、各実施の形態及び各変形例での説明した構成を、他の実施の形態や他の変形例の構成と組み合わせても良い。
【産業上の利用可能性】
【０１０７】
本発明に係る発光装置は、熱源となる発光素子および波長変換部材から効率良く放熱させるのに利用できる。
【図面の簡単な説明】
【０１０８】
【図１】本実施の形態に係る発光装置の正面図である。
【図２】本実施の形態に係る発光装置の平面図である。
【図３】波長変換部材を搭載していない状態の基台の平面図である。
【図４】基台に波長変換部材が搭載された状態の平面図である。
【図５】発光装置の動作状態を説明する図である。
【図６】発光装置の製造方法を説明する図である。
【図７】第２の実施の形態に係る発光装置の正面図である。
【図８】第２の実施の形態に係る発光装置の平面図である。
【図９】図８のＸ−Ｘ線断面を矢印方向か見た図である。
【図１０】発光装置の動作状態を説明する図である。
【図１１】変形例１に係る発光装置の正面図である。
【図１２】変形例１に係る平面図である。
【図１３】（ａ）は、波長変換部材のみが搭載された基台の平面図、（ｂ）はＬＥＤの底面図である。
【図１４】変形例２に係る発光装置の正面図である。
【図１５】変形例２に係る平面図である。
【図１６】波長変換部材のみが搭載された基台の平面図である。
【図１７】変形例３に係る発光装置の正面図である。
【図１８】変形例３に係る平面図である。
【図１９】波長変換部材のみが搭載された基台の平面図である。
【図２０】変形例４に係る発光装置の正面図である。
【図２１】変形例４に係る平面図である。
【図２２】変形例５に係る発光装置の正面図であり、ＬＥＤの内部が分かるように一部を切り欠いている。
【図２３】（ａ）は変形例６に係る発光装置の正面図であり、（ｂ）は変形例６に係る波長変換部材内の光路を示す概略図である。
【図２４】変形例７に係る発光装置の正面図である。
【図２５】変形例８に係る発光装置の正面図である。
【図２６】変形例９に係る発光装置の正面図である。
【図２７】変形例１０に係る発光装置の正面図である。
【図２８】変形例１１に係る発光装置の正面図である。
【図２９】変形例１２に係る発光装置の正面図である。
【図３０】変形例１３に係る発光装置の正面図である。
【図３１】変形例１４に係る発光装置の正面図である。
【図３２】変形例１４に係る発光装置の製造方法を説明する図である。
【図３３】変形例１５に係る発光装置の正面図である。
【図３４】変形例１６に係る発光装置の正面図である。
【図３５】波長変換部材とＬＥＤとの位置関係を説明する図であり、（ａ）は発光装置として求めると特性が放熱特性の場合であり、（ｂ）は発光装置として求める特性が光出射特性の場合である。
【符号の説明】
【０１０９】
１    発光装置
３    基台
５    波長変換部材
７    ＬＥＤ
９    搭載領域
１１    配線パターン
１２    搭載面
１３    反射部材
１４    被搭載面
１５    実装面
１６    出射面
１７    固着剤
１９    面
２１    Ｎ側電極
２３    面
２５    Ｐ側電極
２７    導電性部材
２９    ワイヤ
【図１】
2010098118.tif 000003
【図２】
2010098118.tif 000004
【図３】
2010098118.tif 000005
【図４】
2010098118.tif 000006
【図５】
2010098118.tif 000007
【図６】
2010098118.tif 000008
【図７】
2010098118.tif 000009
【図８】
2010098118.tif 000010
【図９】
2010098118.tif 000011
【図１０】
2010098118.tif 000012
【図１１】
2010098118.tif 000013
【図１２】
2010098118.tif 000014
【図１３】
2010098118.tif 000015
【図１４】
2010098118.tif 000016
【図１５】
2010098118.tif 000017
【図１６】
2010098118.tif 000018
【図１７】
2010098118.tif 000019
【図１８】
2010098118.tif 000020
【図１９】
2010098118.tif 000021
【図２０】
2010098118.tif 000022
【図２１】
2010098118.tif 000023
【図２２】
2010098118.tif 000024
【図２３】
2010098118.tif 000025
【図２４】
2010098118.tif 000026
【図２５】
2010098118.tif 000027
【図２６】
2010098118.tif 000028
【図２７】
2010098118.tif 000029
【図２８】
2010098118.tif 000030
【図２９】
2010098118.tif 000031
【図３０】
2010098118.tif 000032
【図３１】
2010098118.tif 000033
【図３２】
2010098118.tif 000034
【図３３】
2010098118.tif 000035
【図３４】
2010098118.tif 000036
【図３５】
2010098118.tif 000037